(57)【特許請求の範囲】
【請求項１】
コンテンツの管理を行うコンテンツ管理装置と通信を行う第１の接続手段と、
コンテンツを記憶する記憶手段と、
前記記憶手段に記憶された前記コンテンツの再生を制御する再生手段と
を有し、
前記第１の接続手段を介してなされる通信により、前記コンテンツ管理装置からコンテンツを受信するとともに、前記コンテンツの属する前記記憶手段内のグループの番号と前記コンテンツに対応する前記グループ内のトラックの番号とを含む、前記受信したコンテンツを特定する情報を前記コンテンツ管理装置から受信し、
前記再生手段は、前記情報を受信してから最初にコンテンツの再生を行う場合に、前記情報によって特定される前記受信したコンテンツから再生を開始するよう制御するコンテンツ再生装置。
【請求項２】
コンテンツの記憶と再生を行うコンテンツ再生装置と通信を行う第２の接続手段と、
前記コンテンツ再生装置に記憶されたコンテンツの再生が前記コンテンツ再生装置によって開始される際に前記再生の対象となるコンテンツを決定する決定手段と
を有し、
前記第２の接続手段を介してなされる通信により、前記コンテンツ再生装置とコンテンツの送受信を行い、
前記決定手段は、前記コンテンツ再生装置に前記コンテンツが送信された場合に、前記送信したコンテンツを前記再生の対象とするように決定し、
前記コンテンツの属する前記記憶手段内のグループの番号と前記コンテンツに対応する前記グループ内のトラックの番号とを含む、前記決定された、前記送信したコンテンツを特定するための情報を、前記第２の接続手段を介して前記コンテンツ再生装置に送信するコンテンツ管理装置。
【請求項３】
請求項２に記載のコンテンツ管理装置において、
前記決定手段における決定が、ユーザの指示によって行われることを特徴とするコンテンツ管理装置。
【請求項４】
請求項３に記載のコンテンツ管理装置において、
前記コンテンツ再生装置に記憶されているコンテンツのリストを表示するよう制御する表示制御手段を有し
前記決定手段による決定は、ユーザが、前記コンテンツのリストから所定のコンテンツを選択し、前記選択されたコンテンツを前記再生の対象とするよう指示することによって行われることを特徴とするコンテンツ管理装置。
【請求項５】
請求項２に記載のコンテンツ管理装置において、
前記コンテンツ再生装置に記憶されているコンテンツのリストを表示するよう制御する表示制御手段を有し
前記決定手段による決定は、ユーザが、前記コンテンツのリストを用いて、前記コンテンツ再生装置に記憶されているコンテンツの再生順を変更、若しくは所定のコンテンツを削除する指示、または前記コンテンツ再生装置に新たなコンテンツを転送する指示を行う際に、自動的に行われることを特徴とするコンテンツ管理装置。
【請求項６】
他の機器と通信を行う第１の接続手段と、
コンテンツを記憶する記憶手段と、
前記記憶手段に記憶された前記コンテンツの再生を制御する再生手段と
を有するコンテンツ再生装置と、
他の機器と通信を行う第２の接続手段と、
前記他の機器に記憶されたコンテンツの再生が前記他の機器によって開始される際に前記再生の対象となるコンテンツを決定する決定手段と
を有するコンテンツ管理装置と
からなり、
前記第１および第２の接続手段により前記コンテンツ再生装置および前記コンテンツ管理装置が接続されると、
コンテンツの送受信を行い、
前記コンテンツ管理装置は、
前記コンテンツ再生装置に前記コンテンツが送信された場合に、前記送信したコンテンツを前記再生の対象とするように決定し、
前記コンテンツの属する前記記憶手段内のグループの番号と前記コンテンツに対応する前記グループ内のトラックの番号とを含む、前記決定された、前記送信したコンテンツを特定するための情報を前記コンテンツ再生装置に対して送信し、
前記コンテンツ再生装置は、
前記コンテンツ管理装置から送信された前記コンテンツおよび前記情報を受信し、
前記情報を前記コンテンツ管理装置から受信してから最初にコンテンツの再生を行う場合に、前記情報によって特定される前記受信したコンテンツから再生を開始するよう制御されるコンテンツ再生制御システム。
【請求項７】
コンテンツの管理を行うコンテンツ管理装置と第１の接続手段を介して通信を行うステップと、
コンテンツを記憶する記憶手段に記憶された前記コンテンツの再生を制御する再生ステップと
を有し、
前記第１の接続手段を介してなされる通信により、前記コンテンツ管理装置からコンテンツを受信するとともに、前記コンテンツの属する前記記憶手段内のグループの番号と前記コンテンツに対応する前記グループ内のトラックの番号とを含む、前記受信したコンテンツを特定する情報を前記コンテンツ管理装置から受信し、
前記再生ステップは、前記情報を受信してから最初にコンテンツの再生を行う場合に、前記情報によって特定される前記受信したコンテンツから再生を開始するよう制御するコンテンツ再生方法。
【請求項８】
コンテンツの記憶と再生を行うコンテンツ再生装置と第２の接続手段を介して通信を行うステップと、
前記コンテンツ再生装置に記憶されたコンテンツの再生が前記コンテンツ再生装置によって開始される際に前記再生の対象となるコンテンツを決定する決定ステップと
を有し、
前記第２の接続手段を介してなされる通信により、前記コンテンツ再生装置とコンテンツの送受信を行い、
前記決定ステップは、前記コンテンツ再生装置に前記コンテンツが送信された場合に、前記送信したコンテンツを前記再生の対象とするように決定し、
前記コンテンツの属する前記記憶手段内のグループの番号と前記コンテンツに対応する前記グループ内のトラックの番号とを含む、前記決定された、前記送信したコンテンツを特定するための情報を、前記第２の接続手段を介して前記コンテンツ再生装置に送信するコンテンツ管理方法。
【請求項９】
請求項８に記載のコンテンツ管理方法において、
前記決定ステップにおける決定が、ユーザの指示によって行われることを特徴とするコンテンツ管理方法。
【請求項１０】
請求項９に記載のコンテンツ管理方法において、
前記コンテンツ再生装置に記憶されているコンテンツのリストを表示するよう制御する表示制御ステップを有し
前記決定ステップによる決定は、ユーザが、前記コンテンツのリストから所定のコンテンツを選択し、前記選択されたコンテンツを前記再生の対象とするよう指示することによって行われることを特徴とするコンテンツ管理方法。
【請求項１１】
請求項８に記載のコンテンツ管理方法において、
前記コンテンツ再生装置に記憶されているコンテンツのリストを表示するよう制御する表示制御ステップを有し
前記決定ステップによる決定は、ユーザが、前記コンテンツのリストを用いて、前記コンテンツ再生装置に記憶されているコンテンツの再生順を変更、若しくは所定のコンテンツを削除する指示、または前記コンテンツ再生装置に新たなコンテンツを転送する指示を行う際に、自動的に行われることを特徴とするコンテンツ管理方法。
【請求項１２】
他の機器と第１の接続手段を介して通信を行い、コンテンツを記憶する記憶手段に記憶された前記コンテンツの再生を制御するコンテンツ再生装置と、
他の機器と第２の接続手段を介して通信を行い、前記他の機器に記憶されたコンテンツの再生が前記他の機器によって開始される際に前記再生の対象となるコンテンツを決定するコンテンツ管理装置と
を前記第１および第２の接続手段で接続した際に、
コンテンツの送受信を行い、
前記コンテンツ管理装置は、
前記コンテンツ再生装置に前記コンテンツが送信された場合に、前記送信したコンテンツを前記再生の対象とするように決定し、
前記コンテンツの属する前記記憶手段内のグループの番号と前記コンテンツに対応する前記グループ内のトラックの番号とを含む、前記決定された、前記送信したコンテンツを特定するための情報を前記コンテンツ再生装置に対して送信し、
前記コンテンツ再生装置は、
前記コンテンツ管理装置から送信された前記コンテンツおよび前記情報を受信し、
前記情報を前記コンテンツ管理装置から受信してから最初にコンテンツの再生を行う場合に、前記情報によって特定される前記受信したコンテンツから再生を開始するよう制御するコンテンツ再生制御方法。
【請求項１３】
コンテンツの管理を行うコンテンツ管理装置と第１の接続手段を介して通信を行うステップと、
コンテンツを記憶する記憶手段に記憶された前記コンテンツの再生を制御する再生ステップと
を有し、
前記第１の接続手段を介してなされる通信により、前記コンテンツ管理装置からコンテンツを受信するとともに、前記コンテンツの属する前記記憶手段内のグループの番号と前記コンテンツに対応する前記グループ内のトラックの番号とを含む、前記受信したコンテンツを特定する情報を前記コンテンツ管理装置から受信し、
前記再生ステップは、前記情報を受信してから最初にコンテンツの再生を行う場合に、前記情報によって特定される前記受信したコンテンツから再生を開始するよう制御するコンテンツ再生方法をコンピュータ装置に実行させるプログラム。
【請求項１４】
コンテンツの記憶と再生を行うコンテンツ再生装置と第２の接続手段を介して通信を行うステップと、
前記コンテンツ再生装置に記憶されたコンテンツの再生が前記コンテンツ再生装置によって開始される際に前記再生の対象となるコンテンツを決定する決定ステップと
を有し、
前記決定ステップは、前記コンテンツ再生装置に前記コンテンツが送信された場合に、前記送信したコンテンツを前記再生の対象とするように決定し、
前記第２の接続手段を介してなされる通信により、前記コンテンツ再生装置とコンテンツの送受信を行い、
前記コンテンツの属する前記記憶手段内のグループの番号と前記コンテンツに対応する前記グループ内のトラックの番号とを含む、前記決定された、前記送信したコンテンツを特定するための情報を、前記第２の接続手段を介して前記コンテンツ再生装置に送信するコンテンツ管理方法をコンピュータ装置に実行させるプログラム。
【発明の詳細な説明】
【技術分野】
【０００１】
この発明は、コンテンツの再生を行うコンテンツ再生装置およびコンテンツ再生方法、上記コンテンツ再生装置との間でコンテンツの送受信等を管理するコンテンツ管理装置およびコンテンツ管理方法、コンテンツ再生制御システムおよびコンテンツ再生制御方法、およびプログラムに関する。
【背景技術】
【０００２】
近年、様々な場所で気軽に音楽を再生して聴くことができる、携帯型の音楽プレイヤーが人気を得ている。このようなプレイヤーは、ＭＤ（Mini Disk）やメモリに音楽データを記憶しているため、携帯型のＣＤ（Compact Disk）プレイヤーよりも小さなサイズで済み、より高い可搬性を実現することができる。また、長時間の連続利用が可能で、振動にも強いといった利点も備えている。
【０００３】
ＭＤやメモリに記憶される音楽データは、通常は、ＭＰ３（MPEG Audio Layer 3）やＡＴＲＡＣ３（Adaptive Transform Acoustic Coding 3）のような圧縮符号化されたデータであり、これらのデータは、ユーザの操作によって、ＣＤ等の記録メディアから、パーソナルコンピュータ（ＰＣ）等を経由して、上記音楽プレイヤー等のＭＤ、またはメモリに記憶される。音楽データの提供元は上記のようなＣＤ等の記録メディアに留まらず、多岐にわたる。例えば、店頭の端末やインターネット上のサーバから音楽データをダウンロードすることもできるようになってきている。
【０００４】
音楽データを携帯型の音楽プレイヤーに記録するために、ＰＣ上で動作するＰＣアプリケーション（プログラム）が利用されることが多い。ＰＣと音楽プレイヤーは、例えば、ＵＳＢ（Universal Serial Bus）によって接続される。ユーザは、ＰＣ内に備えられたハードディスク等の記録装置に記録されている音楽データを、ＧＵＩ（Graphical User Interface）を利用して音楽プレイヤーにコピーするよう指示する。ユーザによる指示は、例えば、マウス等で、ハードディスク内にある所定の楽曲のリストをドラッグし、それを、接続された音楽プレイヤーの記憶域を示す表示部分にドロップすることによって行われる。
【０００５】
このように、今や音楽データは、記録媒体のみならず、様々な機器内の記録手段に記録されるようになってきている。このため、音楽データの著作権を適切に管理する必要性も生じてきており、上記のようなアプリケーションでは、音楽データが無限に複製されるのを防止するために、音楽プレイヤーへのコピーを所定の回数に限定している。この機能によって、各音楽データは、その所定の回数に対応した分だけ同時に存在することが許される。また、可搬タイプのメモリにもこうした著作権保護機能を備えたものがあり、当該メモリでは、正当と認められたデータのみ記録されるように制御される。
【０００６】
従って、ユーザは、聴きたい楽曲を既にいくつかの音楽プレイヤーにコピーしていて、上記所定のコピー回数を使い切ってしまっている場合に、他の音楽プレイヤーにその楽曲を更にコピーしたいときは、一旦、上記ＰＣアプリケーションによって元の音楽プレイヤーから当該楽曲をＰＣのハードディスク等に戻し、コピーが可能となった状態で、新たな音楽プレイヤーに当該楽曲をロードする。本明細書では、上述のような、携帯型の音楽プレイヤーからＰＣへの楽曲の移動を「チェックイン」と称し、逆に、ＰＣから音楽プレイヤーへの楽曲のダウンロードを「チェックアウト」と称することにする。
【０００７】
携帯型の音楽プレイヤーには、上述のように、音楽データをメモリに記録するタイプのものがあるが、このメモリは、一般的には、その音楽プレイヤーに内蔵されるものと、音楽プレイヤーのスロット等に差し込むなどして利用する可搬タイプの外部メモリとに分類される。これらのメモリは、共にフラッシュメモリで構成されることが一般的であり、通常数百メガバイトの容量を有する。外部メモリの中には、１ギガバイトの容量を有するものも販売されている。
【０００８】
こうしたメモリ容量の増大は、より多くの音楽データを格納可能であることを意味するものであり、ユーザにとっては大きな魅力となる。１つの楽曲についての音楽データが、圧縮された状態で４メガバイトの容量であると仮定すると、１ギガバイトのメモリには、２５０曲分の音楽データが格納される計算になる。
【０００９】
ところで、従来の携帯型の音楽プレイヤーは、音楽データの再生を中断した後に、再生を再び行う場合、プレイリストの先頭の楽曲から、または再生を中断した楽曲の先頭や続きから再生を開始するようになっている。プレイリストとは、音楽プレイヤーのメモリに格納されている音楽データの内容を示す一覧である。
【００１０】
このような動作は、前述した、チェックインやチェックアウトのために、音楽プレイヤーの再生を一時的に中断した場合も同様に行われる。この状況を、図１０を参照して説明する。
【００１１】
図１０は、チェックアウト処理におけるプレイリストの内容を概略的に示しており、音楽プレイヤーのプレイリスト１０１とプレイリスト１０３が表されている。プレイリスト１０１は、チェックアウト前のプレイリストであり、プレイリスト１０３は、チェックアウト後のプレイリストである。ここでは、このプレイリストを用いて、音楽プレイヤーのメモリに実際に記憶されている音楽データの内容を概念的に表すことにする。プレイリストに示されたトラック（例えば、ＴＲＫ１やＴＲＫ２）が、１つの楽曲の音楽データに相当する。
【００１２】
プレイリスト１０１は、３つのグループ（ＧＰ１、ＧＰ２、ＧＰ３）とそれぞれのグループに属するトラック（ＴＲＫ１、ＴＲＫ２等）を含んでいる。音楽プレイヤーは通常、このプレイリストの順に、即ち、ＧＰ１のＴＲＫ１、ＧＰ１のＴＲＫ２・・・といった順に再生を行う。
【００１３】
この例では、ＰＣアプリケーションによって、グループＧＰ４に属する２つのトラック（ＴＲＫ１、ＴＲＫ２）の音楽データ１０２が、ＰＣのハードディスクから音楽プレイヤーにコピー（チェックアウト）される。このとき、音楽プレイヤーの再生は、当該作業のために中断されている。チェックアウト処理の結果、音楽プレイヤーのメモリには、プレイリスト１０３に示すように、グループＧＰ４に属する２つのトラックＴＲＫ１、ＴＲＫ２が追加される。
【００１４】
音楽プレイヤーは、チェックアウト処理の完了後に、ユーザから音楽データの再生を指示されると、上述のように、プレイリストの先頭の楽曲か、直前に再生していた楽曲の先頭あるいは続きを再生しようとする。この例では、矢印１０４に示すように、プレイリスト１０３の先頭にあるグループＧＰ１のトラックＴＲＫ１から再生が行われる。
【００１５】
一方、特許文献１に示す従来技術では、ユーザが再生を中断した場合に、その後どこから再生を開始するかを、所定のパターンの中から設定できる再生装置が開示されている。この従来技術によれば、ユーザは、リジュームオフ、リジュームオン、およびリジュームトラックオンという３つのモードのうち１つを選択できる。リジュームオフを選択している場合に再生の再開を指示すると、直前に再生していた楽曲に関係なく先頭の楽曲から再生が開始される。リジュームオンを選択した場合は、中断の直後の位置から再生が開始される。リジュームトラックオンを選択した場合は、中断した楽曲の最初から再生が開始される。
【特許文献１】特開２０００−３３１４６６号公報
【発明の開示】
【発明が解決しようとする課題】
【００１６】
しかしながら、このようにして一旦再生を中断した後に行われる再生が、所望の楽曲の再生でなかった場合、ユーザは聴きたい楽曲を再生するために、楽曲の選択を行う操作をしなければならない。音楽プレイヤーは通常、早送りボタンと早戻しボタンとを備えており、ユーザは例えば、これらを操作することによって楽曲をスキップし、聴きたい楽曲を選択する。表示画面に表示されたプレイリストをスクロールさせて聴きたい楽曲を選択する方法もある。
【００１７】
こうしたユーザの操作は、せいぜい１０曲や２０曲程度の音楽データを記録できるタイプの音楽プレイヤーにおいては大きな問題とはならなかったが、上述のような数百もの音楽データを記録できる音楽プレイヤーにおいては、再生中の楽曲と所望の楽曲がプレイリスト上、非常に離れている可能性もあり、その場合は極めて煩雑な操作をユーザに強いることになる。これに対し、記憶される音楽データをそれぞれ所定のフォルダ（グループ）内に格納できるようにし、これらを階層管理することによって上記問題点を軽減しようとする音楽プレイヤーもあるが、ユーザは、フォルダを移動するための操作を別途行わなければならず、煩雑さを完全に回避するまでには至っていない。
【００１８】
従って、この発明の目的は、ユーザからの指示により、任意の位置の音楽データから再生を開始することができるコンテンツ再生装置およびコンテンツ再生方法を提供することにある。また、この発明の更なる目的は、チェックアウトされた音楽データから再生を開始するよう制御されるコンテンツ再生装置およびコンテンツ再生方法を提供することにある。
【００１９】
この発明の更なる目的は、ユーザの指示に応じて、任意の位置の音楽データから再生を開始するように、接続されたコンテンツ再生装置に必要な情報を提供するコンテンツ管理装置およびコンテンツ管理方法を提供することにある。また、この発明の更なる目的は、チェックアウトされた音楽データから再生を開始するように、接続されたコンテンツ再生装置に必要な情報を提供するコンテンツ管理装置およびコンテンツ管理方法を提供することにある。
【課題を解決するための手段】
【００２０】
この発明は、コンテンツの管理を行うコンテンツ管理装置と通信を行う第１の接続手段と、コンテンツを記憶する記憶手段と、記憶手段に記憶されたコンテンツの再生を制御する再生手段とを有し、第１の接続手段を介してなされる通信により、コンテンツ管理装置からコンテンツを受信するとともに、コンテンツの属する記憶手段内のグループの番号とコンテンツに対応するグループ内のトラックの番号とを含む、受信したコンテンツを特定する情報をコンテンツ管理装置から受信し、再生手段は、情報を受信してから最初にコンテンツの再生を行う場合に、情報によって特定される受信したコンテンツから再生を開始するよう制御するコンテンツ再生装置である。
【００２１】
この発明は、コンテンツの記憶と再生を行うコンテンツ再生装置と通信を行う第２の接続手段と、コンテンツ再生装置に記憶されたコンテンツの再生がコンテンツ再生装置によって開始される際に再生の対象となるコンテンツを決定する決定手段とを有し、第２の接続手段を介してなされる通信により、コンテンツ再生装置とコンテンツの送受信を行い、決定手段は、コンテンツ再生装置にコンテンツが送信された場合に、送信したコンテンツを再生の対象とするように決定し、コンテンツの属する記憶手段内のグループの番号とコンテンツに対応するグループ内のトラックの番号とを含む、決定された、送信したコンテンツを特定するための情報を、第２の接続手段を介してコンテンツ再生装置に送信するコンテンツ管理装置である。
【００２２】
この発明は、他の機器と通信を行う第１の接続手段と、コンテンツを記憶する記憶手段と、記憶手段に記憶されたコンテンツの再生を制御する再生手段とを有するコンテンツ再生装置と、他の機器と通信を行う第２の接続手段と、他の機器に記憶されたコンテンツの再生が他の機器によって開始される際に再生の対象となるコンテンツを決定する決定手段とを有するコンテンツ管理装置とからなり、第１および第２の接続手段によりコンテンツ再生装置およびコンテンツ管理装置が接続されると、コンテンツの送受信を行い、コンテンツ管理装置は、コンテンツ再生装置にコンテンツが送信された場合に、送信したコンテンツを再生の対象とするように決定し、コンテンツの属する記憶手段内のグループの番号とコンテンツに対応するグループ内のトラックの番号とを含む、決定された、送信したコンテンツを特定するための情報をコンテンツ再生装置に対して送信し、コンテンツ再生装置は、コンテンツ管理装置から送信されたコンテンツおよび情報を受信し、情報をコンテンツ管理装置から受信してから最初にコンテンツの再生を行う場合に、情報によって特定される受信したコンテンツから再生を開始するよう制御されるコンテンツ再生制御システムである。
【００２３】
この発明は、コンテンツの管理を行うコンテンツ管理装置と第１の接続手段を介して通信を行うステップと、コンテンツを記憶する記憶手段に記憶されたコンテンツの再生を制御する再生ステップとを有し、第１の接続手段を介してなされる通信により、コンテンツ管理装置からコンテンツを受信するとともに、コンテンツの属する記憶手段内のグループの番号とコンテンツに対応するグループ内のトラックの番号とを含む、受信したコンテンツを特定する情報をコンテンツ管理装置から受信し、再生ステップは、情報を受信してから最初にコンテンツの再生を行う場合に、情報によって特定される受信したコンテンツから再生を開始するよう制御するコンテンツ再生方法である。
【００２４】
この発明は、コンテンツの記憶と再生を行うコンテンツ再生装置と第２の接続手段を介して通信を行うステップと、コンテンツ再生装置に記憶されたコンテンツの再生がコンテンツ再生装置によって開始される際に再生の対象となるコンテンツを決定する決定ステップとを有し、第２の接続手段を介してなされる通信により、コンテンツ再生装置とコンテンツの送受信を行い、決定ステップは、コンテンツ再生装置にコンテンツが送信された場合に、送信したコンテンツを再生の対象とするように決定し、コンテンツの属する記憶手段内のグループの番号とコンテンツに対応するグループ内のトラックの番号とを含む、決定された、送信したコンテンツを特定するための情報を、第２の接続手段を介してコンテンツ再生装置に送信するコンテンツ管理方法である。
【００２５】
この発明は、他の機器と第１の接続手段を介して通信を行い、コンテンツを記憶する記憶手段に記憶されたコンテンツの再生を制御するコンテンツ再生装置と、他の機器と第２の接続手段を介して通信を行い、他の機器に記憶されたコンテンツの再生が他の機器によって開始される際に再生の対象となるコンテンツを決定するコンテンツ管理装置とを第１および第２の接続手段で接続した際に、コンテンツの送受信を行い、コンテンツ管理装置は、コンテンツ再生装置にコンテンツが送信された場合に、送信したコンテンツを再生の対象とするように決定し、コンテンツの属する記憶手段内のグループの番号とコンテンツに対応するグループ内のトラックの番号とを含む、決定された、送信したコンテンツを特定するための情報をコンテンツ再生装置に対して送信し、コンテンツ再生装置は、コンテンツ管理装置から送信されたコンテンツおよび情報を受信し、情報をコンテンツ管理装置から受信してから最初にコンテンツの再生を行う場合に、情報によって特定される受信したコンテンツから再生を開始するよう制御するコンテンツ再生制御方法である。
【００２６】
この発明は、コンテンツの管理を行うコンテンツ管理装置と第１の接続手段を介して通信を行うステップと、コンテンツを記憶する記憶手段に記憶されたコンテンツの再生を制御する再生ステップとを有し、第１の接続手段を介してなされる通信により、コンテンツ管理装置からコンテンツを受信するとともに、コンテンツの属する記憶手段内のグループの番号とコンテンツに対応するグループ内のトラックの番号とを含む、受信したコンテンツを特定する情報をコンテンツ管理装置から受信し、再生ステップは、情報を受信してから最初にコンテンツの再生を行う場合に、情報によって特定される受信したコンテンツから再生を開始するよう制御するコンテンツ再生方法をコンピュータ装置に実行させるプログラムである。
【００２７】
この発明は、コンテンツの記憶と再生を行うコンテンツ再生装置と第２の接続手段を介して通信を行うステップと、コンテンツ再生装置に記憶されたコンテンツの再生がコンテンツ再生装置によって開始される際に再生の対象となるコンテンツを決定する決定ステップとを有し、決定ステップは、コンテンツ再生装置にコンテンツが送信された場合に、送信したコンテンツを再生の対象とするように決定し、第２の接続手段を介してなされる通信により、コンテンツ再生装置とコンテンツの送受信を行い、コンテンツの属する記憶手段内のグループの番号とコンテンツに対応するグループ内のトラックの番号とを含む、決定された、送信したコンテンツを特定するための情報を、第２の接続手段を介してコンテンツ再生装置に送信するコンテンツ管理方法をコンピュータ装置に実行させるプログラムである。
【発明の効果】
【００２８】
この発明によれば、ユーザからの指示によって提供された情報に基づき、任意の位置の音楽データから再生を開始することができるコンテンツ再生装置およびコンテンツ再生方法が提供される。更に、チェックアウトされた音楽データから再生を開始するように、自動的に制御することも可能である。
【００２９】
また、この発明によれば、ユーザの指示に応じて、任意の位置の音楽データから再生を開始するように、接続されたコンテンツ再生装置に必要な情報を提供するコンテンツ管理装置およびコンテンツ管理方法が提供される。更に、チェックアウトされた音楽データから再生を開始するように、自動的に制御することも可能である。
【００３０】
ユーザは、上記コンテンツ再生装置およびコンテンツ管理装置を使用することにより、コンテンツ再生装置が再生を開始する際に、任意のコンテンツ、あるいは所定の条件のコンテンツから再生を開始するよう制御することができ、結果的に再生対象のコンテンツをコンテンツ再生装置において選択するといった煩雑な行為を回避することができる。
【発明を実施するための最良の形態】
【００３１】
最初に、この発明に係るコンテンツ再生装置の構成について、図１のブロック図を参照して説明する。図１に例示するコンテンツ再生装置１は、ＡＴＲＡＣ３で圧縮符号化された音楽データを内蔵メモリ８あるいは外部メモリ２に記録し、これをデコードしてヘッドフォン４に音声として出力するコンテンツ再生装置１である。
【００３２】
しかしながら、記録および再生の対象は、上記のような音楽データに限定されるものではなく、文書データ、静止画データ、および動画データ等を対象とすることも可能である。また、この例では、ヘッドフォン４に対する出力のみが行われているが、スピーカ等を備えて音声を出力してもよいし、画像データを再生する場合は、それらの画像を表示するための表示装置を備えるものであっても良い。
【００３３】
また、図示したようなコンテンツ再生装置１は、最小限の構成について例示したに過ぎず、以降で説明するこの発明の特徴を有する限り、他の構成を含むものであってもよい。例えば、コンテンツを再生する機能の他に、コンテンツの録音や録画を行う機能を備えるものであってもよい。
【００３４】
コンテンツ再生装置１は、ＣＰＵ５、デコーダ６、内蔵メモリインタフェース７、内蔵メモリ８、外部メモリインタフェース９、ＵＳＢインタフェース１０、ＵＳＢコネクタ１１、ＲＯＭ１２、ＲＡＭ１３、入力部１４、Ｄ／Ａ（Digital to Analog）コンバータ１５、ヘッドフォンアンプ１６、ヘッドフォンコネクタ１７、およびこれらを接続するバス１８を備える。
【００３５】
また、コンテンツ再生装置１は、外部メモリインタフェース９を介して外部メモリ２に接続される。外部メモリ２は、例えば、メモリースティック（商品名）のようなフラッシュメモリであり、コンテンツ再生装置１に設けられたスロット等にこれを差し込むことにより接続される。コンテンツ管理装置３は、ＵＳＢインタフェース１０、ＵＳＢコネクタ１１、およびＵＳＢケーブルを介してコンテンツ再生装置１に接続される。この例では、コンテンツ管理装置３との接続にＵＳＢが用いられているが、他の方法で接続されても良く、有線による接続に限定される必要もない。ただし、コンテンツ再生装置１とコンテンツ管理装置３の間では、後述するように、音楽データ等、比較的大容量のデータの転送が行われるので、ある程度の帯域幅が要求される。
【００３６】
コンテンツ管理装置３は、例えば、後で詳細に説明するコンテンツ管理アプリケーションが動作するパーソナルコンピュータである。ヘッドフォン４は、Ｄ／Ａコンバータ１５、ヘッドフォンアンプ１６、ヘッドフォンコネクタ１７、およびケーブルを介してコンテンツ再生装置１に接続され、ユーザに音楽データの再生音声を提供する。コンテンツ再生装置１は、従来例に関して前述した音楽プレイヤーに相当するものであり、コンテンツ管理装置３はパーソナルコンピュータ（ＰＣ）に相当するものである。
【００３７】
ＣＰＵ５は、ＯＳ（Operating System）プログラム、制御プログラム、アプリケーションプログラムの指令に応じてコンテンツ再生装置１の各構成要素を制御し、コンテンツ再生装置１の各機能を実現する。コンテンツ再生装置１は多くの機能を有するが、この発明と深く関連する機能は、コンテンツ管理装置３から音楽データを受信して、そのデータを内蔵メモリ８または外部メモリ２に記憶する機能（チェックアウト機能）、内蔵メモリ８または外部メモリ２に記憶された音楽データをコンテンツ管理装置３に戻す機能（チェックイン機能）、およびコンテンツ管理装置３から再生開始位置の情報を受信して記憶し、その情報に基づいて、内蔵メモリ８または外部メモリ２に記憶された音楽データを再生する機能（再生機能）である。
【００３８】
デコーダ６は、ユーザから再生の指示があった場合に、対象となる音楽データを内蔵メモリ８または外部メモリ２から取り出し、デコード処理を行う。デコードされた音楽データは、Ｄ／Ａコンバータ１５に送信され、最終的にはヘッドフォン４から音楽が出力される。前述のように、内蔵メモリ８または外部メモリ２に記憶されている音楽データは、通常、ＡＴＲＡＣ３やＭＰ３等の圧縮符号化データであるため、デコーダは、これらの圧縮形式に応じた復号処理を行う。
【００３９】
内蔵メモリ８は、内蔵メモリインタフェース７を介して音楽データを入力、あるいは出力する。内蔵メモリ８は、例えば、外部メモリ２と同様のフラッシュメモリで構成される。
【００４０】
ＲＯＭ１２は、ＯＳプログラム、制御プログラム、アプリケーションプログラム、および必要なデータ類が（基本的には製造時に）記録される。また、ＲＡＭ１３もこれらのプログラムやデータを記録可能である。ＲＡＭ１３には、例えば、ＵＳＢインタフェース１０およびＵＳＢコネクタ１１を介して、あるいはその他の経路によって提供されたプログラムが記録されうる。ＣＰＵ５は、当該プログラムの命令に従って動作し、この発明の各機能を実現する。
【００４１】
更に、ＲＡＭ１３には、コンテンツ管理装置３から受信した再生開始位置の情報が記録される。再生が中断した後で、ユーザによって再生が指示されると、ＲＡＭ１３内の再生開始位置の情報に基づいて再生する楽曲が選択される。
【００４２】
入力部１４は、ユーザが再生、再生の中断、早送り、早戻し等を指示するための入力手段であり、通常はいくつかのボタンとして用意されている。
【００４３】
次に、図２を参照して、コンテンツ管理装置３の構成について説明する。コンテンツ管理装置３は、図２に示すように、ＣＰＵ２１、ＲＯＭ２２、ＲＡＭ２３、入力部２４、表示部２５、記録部２６、ＵＳＢインタフェース２７、ＵＳＢコネクタ２８、およびこれらの構成要素を接続するバス２９を備える。また、コンテンツ再生装置１は、ＵＳＢインタフェース２７、ＵＳＢコネクタ２８、およびＵＳＢケーブルを介してコンテンツ管理装置３に接続される。
【００４４】
また、コンテンツ管理装置３は、コンテンツ再生装置１と接続して、その間でデータ転送を行い、ユーザの指示を入力できるものであれば、図２に示すような構成には限られない。例えば、一般的なパーソナルコンピュータの他に、家庭用のゲーム機などを利用してコンテンツ管理装置３を構成することができる。
【００４５】
ＣＰＵ２１は、ＯＳ（Operating System）プログラム、制御プログラム、アプリケーションプログラムの指令に応じてコンテンツ管理装置３の各構成要素を制御し、コンテンツ管理装置３の機能を実現する。この発明との関連で言えば、例えば、後述するコンテンツ管理アプリケーションの実行を制御する。このコンテンツ管理アプリケーションでは、表示部２５に各種ウインドウや指示ボタンを表示し、ユーザがその表示に基づいて指示した場合に、音楽データをコンテンツ管理装置３からコンテンツ再生装置１に、あるいはコンテンツ再生装置１からコンテンツ管理装置３に転送し、再生開始位置の情報をコンテンツ再生装置１に送信する。
【００４６】
記録部２６は、例えば、ハードディスクのような大容量の外部記憶装置である。記録部２６には、ＡＴＲＡＣ３等で圧縮符号化された音楽データが、例えば、フォルダ内に、階層管理された上で記憶されている。これらの音楽データは、ＣＤ等の記録メディアやインターネット等から取り込まれたものである。また、コンテンツ管理アプリケーションなどのプログラムも記録部２６に記録され、必要に応じてＲＡＭ２３にロードされる。
【００４７】
ＲＯＭ２２には、ＢＩＯＳ（Basic Input/Output System）プログラム等が記録されており、このプログラムは、コンテンツ管理装置３の電源投入時に起動され、入出力装置の制御を行う。また、ＲＡＭ２３には、ＯＳプログラムやコンテンツ管理アプリケーション等がロードされ、実行される。
【００４８】
入力部２４は、キーボードやマウス等の入力装置である。ユーザは、コンテンツ管理アプリケーションにおいて転送対象の音楽データを指定したり、再生開始位置の情報について指定をしたりするのに、これらの入力装置を用いる。表示部２５は、ＣＲＴ（Cathode Ray Tube）ディスプレイ等の表示装置である。コンテンツ管理アプリケーションが提供する画面は、表示部２５に表示される。
【００４９】
コンテンツ再生装置１において、コンテンツを記憶する記憶手段は内蔵メモリ８と外部メモリ２によって構成され、コンテンツの再生を制御する再生手段は、一般的には、ＲＡＭ１３内の制御プログラムに基づくＣＰＵ５の動作によって実現される。
【００５０】
一方、コンテンツ管理装置３において、コンテンツ再生装置１と接続するための接続手段は、図２に示す例では、ＵＳＢインタフェース２７およびＵＳＢコネクタ２８によって構成される。再生対象となるコンテンツを決定する決定手段と、コンテンツを特定するための情報をコンテンツ再生装置に送信する送信手段は、一般的には、ＲＡＭ１３内の制御プログラムに基づくＣＰＵ５の動作によって実現される。また、コンテンツのリストを表示するよう制御する表示制御手段も、一般的には、ＲＡＭ１３内の制御プログラムに基づくＣＰＵ５の動作によって実現される。
【００５１】
コンテンツ再生装置１の記憶手段内に記憶されたコンテンツを特定する情報は、再生開始位置の情報に対応する。また、図１のコンテンツ再生装置１と図２のコンテンツ管理装置３をそれぞれ１つの構成要素と見れば、全体的には１つのシステム（再生制御システム）と考えることができる。
【００５２】
次に、図３および図４を用いて、この発明によってコンテンツ再生装置１内の音楽データがどのように扱われるかについて説明する。図３および図４は、図１０と同様に、コンテンツ再生装置１（音楽プレイヤー）のメモリの内容をプレイリストによって表した略線図である。
【００５３】
コンテンツ再生装置１については、チェックアウト前のプレイリスト３１と、チェックアウト後のプレイリスト３３が表されている。ここでは、コンテンツ再生装置１とコンテンツ管理装置３がＵＳＢ等によって接続されており、コンテンツ管理装置３上で稼働するコンテンツ管理アプリケーションにおいて、ユーザが音楽データのチェックアウトの指示、即ち、コンテンツ管理装置３のハードディスク等に記憶されている音楽データをコンテンツ再生装置１に転送するよう指示したケースについて説明する。
【００５４】
チェックアウト前のプレイリスト３１からも明らかなように、チェックアウトが行われる前は、コンテンツ再生装置１は３つのグループＧＰ１、ＧＰ２、ＧＰ３を有し、ＧＰ１はＴＲＫ１ないしＴＲＫ３の３つのトラックを、ＧＰ２は、ＴＲＫ１、ＴＲＫ２の２つのトラックを、ＧＰ３は、ＴＲＫ１ないしＴＲＫ４の４つのトラックを含んでいる。１つのトラックは、１つの楽曲の音楽データに相当するものである。従って、グループは、特定のアーティストや、アルバムに対応付けることができる。
【００５５】
この状態で、ユーザは、コンテンツ管理アプリケーションを利用してチェックアウトを行う。チェックアウトの対象となるデータ３２は、グループＧＰ４であり、ＧＰ４はＴＲＫ１、ＴＲＫ２の２つのトラックを含んでいる。これらが、ユーザの指示によってコンテンツ再生装置１に転送される。
【００５６】
チェックアウト後のプレイリスト３３を見ると、ユーザがコンテンツ管理アプリケーションによって転送したグループＧＰ４がコピーされているのが分かる。図１０に示す従来の音楽プレイヤーでは、再生開始位置がプレイリストの先頭となっていたが、この発明においては、矢印３４に示すように、自動的にチェックアウトがされた音楽データの先頭、即ち、グループＧＰ４のＴＲＫ１に再生開始位置が設定されている。これによって、コンテンツ再生装置１は、この後再生を行う場合に、グループＧＰ４のＴＲＫ１から再生を開始する。
【００５７】
図３では、再生開始位置の設定を模式的に示しているが、より具体的には、ユーザがコンテンツ管理アプリケーションによってチェックアウトを指示したときに、対象の音楽データとともに、再生開始位置の情報として、グループ番号「４」とトラック番号「１」がコンテンツ再生装置１に送信される。コンテンツ再生装置１は、そのグループ番号とトラック番号をＲＡＭ１３に記録し、ユーザから再生の指示があった場合に、そのグループ番号とトラック番号で特定される楽曲から再生を開始する。
【００５８】
通常、コンテンツ再生装置１では、再生開始位置にある楽曲の再生が終わった場合は、プレイリストの並びの順に再生が続けられる。従って、プレイリスト３３の場合は、ＧＰ４のＴＲＫ１が最初に再生された後は、ＧＰ４のＴＲＫ２が再生され、その後、プレイリストの先頭に戻ってＧＰ１のＴＲＫ１が再生される。
【００５９】
再生開始位置の情報は、再生を再開した場合の最初の楽曲を特定するものであるので、それ以降をランダムに再生したり、プレイリストの並びと逆順に再生するような指定をしたりすることも可能である。また、再生を再開した場合に、特定の複数の楽曲が順次再生されるように制御しても良い。
【００６０】
図４では、コンテンツ再生装置１のメモリに記憶されている音楽データを、コンテンツ管理装置３上で動作するコンテンツ管理アプリケーションを使用して編集した場合の状況を表している。図４には、編集前のプレイリスト４１と編集後のプレイリスト４２が示されている。両方のプレイリストを比較すると分かるように、編集は、グループＧＰ１とグループＧＰ３の順序が入れ替えられ、グループＧＰ３については、トラックＴＲＫ４が削除（チェックイン）されている。ここで、ユーザは、コンテンツ管理アプリケーションを操作して、次にコンテンツ再生装置１が再生を行うときには、グループＧＰ２のＴＲＫ１から再生を開始するように指定することができる（矢印４３）。
【００６１】
ユーザによって指定されたグループ番号（ＧＰ２）とトラック番号（ＴＲＫ１）は、前述のように、コンテンツ管理アプリケーションからコンテンツ再生装置１のＲＡＭ１３に送信される。
【００６２】
従って、この発明によれば、コンテンツ再生装置１は、チェックアウトがされた後の最初の再生指示や、プレイリストの編集が行われた後の最初の再生指示において、ＲＡＭ１３内の所定のコンテンツを特定する情報、即ち、この例ではグループ番号とトラック番号を参照し、その特定されたコンテンツから再生を開始する。また、上記チェックアウト等の操作があった場合でも、デフォルトでプレイリストの先頭や、直前に再生した楽曲から再生を開始するよう制御することもできる。
【００６３】
また、図４で例示したようなプレイリストの編集は、単に音楽データの再生順を入れ替えるのみで、音楽データの追加や削除を伴わないものであってもよい。この場合は、音楽データの再生順を管理するインデックステーブル（ファイル管理テーブル）のみが更新され、データ部分の更新は行われない。
【００６４】
次に、図５および図６を参照して、コンテンツ管理装置３上のコンテンツ管理アプリケーションの動作について説明する。図５は、コンテンツ管理装置３の表示部２５に表示された、コンテンツ管理アプリケーションの画面５０を表した略線図である。画面５０は、３つのウインドウ（５１、５２、５３）と４つのボタン（５４、５５、５６、５７）を含んでいる。
【００６５】
ウインドウ５１とウインドウ５２は、コンテンツ管理装置３のハードディスク内に階層的に記憶された音楽データを示している。ウインドウ５１にはフォルダ部分が、ウインドウ５２には、最下層のデータ、即ちＡＴＲＡＣ３やＭＰ３の形式の音楽データが表示されている。
【００６６】
ウインドウ５１に示すフォルダは２種類ある。ＡＡ、ＢＢ、ＣＣ、ＤＤといったフォルダは上位フォルダ５８であり、Ｄ１のような、上位フォルダ５８に従属するフォルダは下位フォルダ５９である。この下位フォルダ５９（例えば、Ｄ１）に含まれる音楽データ６０の番号（Ｎｏ．）およびタイトル等が、ウインドウ５２内に一覧表示される。
【００６７】
従って、上位フォルダ５８の名前としてアーティスト名を割り当て、下位フォルダ５９の名前としてアルバム名を割り当てると、音楽データ６０は、そのアルバムに含まれる楽曲となって、比較的容易な管理が可能になる。もちろん、この階層管理方法や表示方法は単なる例示に過ぎず、他の方法によって音楽データを管理し、表示することも可能である。
【００６８】
一方、ウインドウ５３は、コンテンツ再生装置１のメモリに記憶されている音楽データを表したものであり、この表示は、例えば、コンテンツ再生装置１とコンテンツ管理装置３が接続された時点で自動的に行われる。この例では、コンテンツ再生装置１のメモリも、音楽データを階層的に記憶しており、ＳＳといったフォルダ６１の下にＳ１、Ｓ２といった音楽データ６２が納められている。
【００６９】
ボタン５４は、チェックインを指示するためのものであり、このボタン５４をマウスでクリック等することにより、コンテンツ再生装置１のメモリに記憶されている音楽データがコンテンツ管理装置３のハードディスクに戻される。コンテンツ管理装置３が当該音楽データを保持している場合は、著作権情報の更新のみとなることがあり、そのときは、音楽データの実際の転送は行われない。
【００７０】
ボタン５５は、チェックアウトを指示するためのものであり、クリック等をすることにより、コンテンツ管理装置３のハードディスクに記憶されている音楽データがコンテンツ再生装置１のメモリにコピーされる。コンテンツ再生装置１は、上述の通り、内蔵メモリ８と外部メモリ２を備えることができるが、チェックアウトにおいて、どちらのメモリに記録するかを指示できるＧＵＩを画面５０に含めることができる。
【００７１】
ボタン５６は、コンテンツ再生装置１に再生開始位置の情報を転送するように指示するためのものである。ボタン５７は、上記ボタンによる操作等を中止するためのものである。
【００７２】
図５に表示されている状態は、上位フォルダＤＤに属する下位フォルダＤ１内の６番目の音楽データ「Ｄ１−００６」が、ユーザによってチェックアウトされた際のものである。ユーザが、ウインドウ５１で下位フォルダＤ１を（マウスのクリック等によって）選択すると、ウインドウ５２に、Ｄ１に含まれる音楽データが一覧表示される。続いてユーザが、ウインドウ５２の中から、コンテンツ再生装置１に転送したい楽曲をマウスのクリック等によって選択する。選択された音楽データの行は、選択されたことが分かるように、例えば、高輝度表示がされる。
【００７３】
ユーザは、この状態でボタン５５をクリック等する。そうすると、音楽データ「Ｄ１―００６」がコンテンツ再生装置１のメモリに転送され、これとともに、ウインドウ５３に、今回転送された「Ｄ１―００６」とフォルダＤ１が、例えば、高輝度で表示される。
【００７４】
このとき、フォルダＤ１に対応するグループ番号と、音楽データ「Ｄ１―００６」に対応するトラック番号が、コンテンツ再生装置１のＲＡＭ１３に自動的に送信される。ユーザは、ウインドウ５２において、チェックアウトしたい音楽データを複数選択することもでき、その場合、転送される上記グループ番号とトラック番号は、基本的には、先頭の音楽データに対応するものとなる。
【００７５】
図６は、コンテンツ管理アプリケーションの別の画面８０を表した略線図である。画面８０は、図５の画面５０と同様に、３つのウインドウ（８１、８２、８３）と４つのボタン（８４、８５、８６、８７）を含んでいる。この例では、図５で示したような音楽データのチェックアウトを行った後で、ユーザの指示により再生開始位置の情報をコンテンツ再生装置１に送信する。
【００７６】
チェックアウトの対象となる音楽データの選択と、ボタン８５（チェックアウトのボタン）のクリック等は図５におけるものと同様である。図６では、その後、ユーザが再生開始位置を指定する。
【００７７】
具体的には、ウインドウ８３において、再生を行う楽曲をマウスのクリック等により選択する。図６では、チェックアウトされた音楽データ「Ｄ１−００６」とは異なる、フォルダＳＳ内の「Ｓ３」という音楽データ８８が選択され、高輝度表示となっている。この選択の後、ユーザは、ボタン８６をクリック等して、この「Ｓ３」という音楽データから再生を始めるように、コンテンツ再生装置１に指示する。
【００７８】
この操作により、ユーザはチェックアウトした音楽データの位置とは関係のない任意の位置の音楽データから再生を開始するように指示することができる。
【００７９】
次に、図７ないし図９のフローチャートを用いて、コンテンツ管理装置３とコンテンツ再生装置１の動作をそれぞれ説明する。図７は、ユーザが任意の再生開始位置を指定する際のコンテンツ管理装置３のコンテンツ管理アプリケーションにおける処理を表している。ステップＳ１１では、ユーザから再生開始位置を指示するボタンのクリック等があったかどうかが判断される。当該ボタンのクリック等があったと判定された場合、ステップＳ１２で、その際に選択されている楽曲のグループ番号とトラック番号を取得する。
【００８０】
その後、ステップＳ１３で、コンテンツ再生装置１に対して、再生開始位置のグループ番号とトラック番号を送信する。この情報は、例えば、「SET_START_TRK(GpNo, TrkNo)」といった、グループ番号とトラック番号をＲＡＭ１３の所定の領域に設定するためのコマンドであってもよい。ここで、第一のコマンドパラメータGpNoはグループ番号であり、第二のコマンドパラメータTrkNoはトラック番号である。
【００８１】
図８は、コンテンツ再生装置１における処理を表すフローチャートである。最初に、ステップＳ２１で、コンテンツ再生装置１とコンテンツ管理装置３がＵＳＢ接続されているかどうかが判断される。接続がない場合は、特に処理をせずに終了する。ＵＳＢ接続がされていると判断した場合、ステップＳ２２において、コンテンツ再生装置１が現在再生をしている、あるいは直前に再生を行っていた音楽データのグループ番号とトラック番号をＲＡＭ１３に保持する。
【００８２】
次に、コンテンツ管理装置３のコンテンツ管理アプリケーションとの間で音楽データの転送処理が行われる（ステップＳ２３）。ステップＳ２４では、ＵＳＢ接続が切断されたかどうかが判断され、当該切断が行われるまで上記転送処理が繰り返される。転送処理は、転送対象の音楽データがなくなった時点で終了し、ステップＳ２５に進むように制御しても良い。
【００８３】
ステップＳ２５では、ステップＳ２３の転送処理によってチェックアウト、およびチェックインされた音楽データの内容に従ってプレイリストが構築される。
【００８４】
図９は、図８のステップＳ２３における転送処理の内容を更に詳しく示したフローチャートである。ステップＳ３１では、コンテンツ管理装置３のコンテンツ管理アプリケーションから送信される音楽データを受信し、メモリ内に記憶する。コンテンツ再生装置１が内蔵メモリ８と外部メモリ２を両方有する場合には、どちらのメモリに記録するかが、コンテンツ管理アプリケーションから指示されうる。また、音楽データを受信してメモリ内に記録するのはユーザが、コンテンツ管理アプリケーションにおいてチェックアウトを指示した場合である。一方、チェックインを指示した場合には、指定された音楽データがメモリ内から削除される。
【００８５】
また、コンテンツ再生装置１が内蔵メモリ８と外部メモリ２を両方有する場合において、コンテンツ管理アプリケーションからどちらのメモリに音楽データを記録するかについて指示がないときであっても、デフォルトでどちらかのメモリに記録するように定めておくこともできる。
【００８６】
次に、ステップＳ３２において、コンテンツ管理アプリケーションから再生の対象となるコンテンツを特定する情報、即ちグループ番号とトラック番号を受信したかどうかを判定する。受信していない場合は、何もせずに処理を終了する。受信した場合は、ステップＳ３３において、例えば、当該情報（グループ番号とトラック番号）を取得し、ステップＳ３４において、これらの情報を元に再生開始位置を更新する。この再生開始位置の情報は、例えば、コンテンツ再生装置１のＲＡＭ１３に記憶される。
【００８７】
コンテンツ再生装置１は、この後、再生を開始する際に、上記ＲＡＭ１３に記憶された再生開始位置の情報を参照し、再生を開始する音楽データのグループ番号およびトラック番号を把握する。上述した構成によって、ユーザがコンテンツ管理アプリケーションでチェックアウト等の操作をした場合に、その際に指定した（あるいはデフォルトによって決められた）グループ番号およびトラック番号で特定される音楽データがコンテンツ管理装置３からコンテンツ再生装置１に転送され、その音楽データから再生が開始されることになる。このような動作は、図３を参照して上述したとおりである。
【００８８】
この例では、再生開始位置、即ち、再生を開始する音楽データを特定するために、グループ番号とトラック番号を用いているが、これは単なる例示に過ぎず、他の多くの特定方法が考えられる。例えば、楽曲データが記憶されているメモリのアドレスや、データの記憶位置を管理するテーブルに関するアドレス等を利用して音楽データの先頭の位置や、その楽曲の中の位置を特定することができる。
【図面の簡単な説明】
【００８９】
【図１】この発明の実施の形態に係るコンテンツ再生装置の構成例を示すブロック図である。
【図２】この発明の実施の形態に係るパーソナルコンピュータの構成例を示すブロック図である。
【図３】コンテンツ管理アプリケーションにおいてチェックアウト処理を行った場合のプレイリストの遷移を表す略線図である。
【図４】コンテンツ管理アプリケーションにおいて編集処理を行った場合のプレイリストの遷移を表す略線図である。
【図５】コンテンツ管理アプリケーションの画面表示の例を示す略線図である。
【図６】コンテンツ管理アプリケーションの画面表示の別の例を示す略線図である。
【図７】この発明の実施の形態におけるコンテンツ管理アプリケーションの処理手順を表すフローチャートである。
【図８】この発明の実施の形態におけるコンテンツ再生装置の処理手順を表すフローチャートである。
【図９】この発明の実施の形態におけるコンテンツ再生装置のデータ転送処理を表すフローチャートである。
【図１０】従来の音楽プレイヤーにおいてチェックアウト処理を行った場合のプレイリストの遷移を表す略線図である。
【符号の説明】
【００９０】
１・・・コンテンツ再生装置、２・・・外部メモリ、３・・・コンテンツ管理装置、４・・・ヘッドフォン、５，２１・・・ＣＰＵ、６・・・デコーダ、８・・・内蔵メモリ、１０，２７・・・ＵＳＢインタフェース、１３，２３・・・ＲＡＭ、１４，２４・・・入力部、２５・・・表示部、２６・・・記録部
【図１】
0004363117.tif 000002
【図２】
0004363117.tif 000003
【図３】
0004363117.tif 000004
【図４】
0004363117.tif 000005
【図５】
0004363117.tif 000006
【図６】
0004363117.tif 000007
【図７】
0004363117.tif 000008
【図８】
0004363117.tif 000009
【図９】
0004363117.tif 000010
【図１０】
0004363117.tif 000011